(57)【特許請求の範囲】
【請求項１】
放射線を照射する放射線源と、
放射線を検出する放射線検出手段と、
前記放射線源を回転させる回転手段と、
前記放射線源と前記放射線検出手段との間に設置されるとともに、被検体を配置する複数の空間を有するホルダとを備え、
前記ホルダは、前記複数の空間の各々に空間識別用部材を備えるとともに、
前記空間識別用部材の各々は、前記放射線源が回転される際の軌跡である仮想円の存する平面と平行な平面で裁断したときに互いに固有の断面形状を有しており、前記被検体が配置される空間と並行して、前記放射線源の回転軸の方向に柱状に伸びていることを特徴とする小動物用放射線断層撮影装置。
【請求項２】
請求項１に記載の小動物用放射線断層撮影装置において、
前記空間識別用部材は、空間の内部に挿入されていることを特徴とする小動物用放射線断層撮影装置。
【請求項３】
請求項１または請求項２に記載の小動物用放射線断層撮影装置において、
前記ホルダに設けられた空間の各々に一体の被検体が挿入されることを特徴とする小動物用放射線断層撮影装置。
【請求項４】
請求項１ないし請求項３のいずれかに記載の小動物用放射線断層撮影装置において、
前記空間識別用部材がアクリル樹脂製であることを特徴とする小動物用放射線断層撮影装置。
【請求項５】
請求項１ないし請求項４のいずれかに記載の小動物用放射線断層撮影装置において、
前記ホルダを載置する天板と、
前記天板を仮想円の直交方向に移動させる天板移動手段とを備えることを特徴とする小動物用放射線断層撮影装置。
【請求項６】
請求項１ないし請求項５のいずれかに記載の小動物用放射線断層撮影装置において、
前記放射線源、前記放射線検出手段に対して仮想円の直交方向から隣接するように設けられたポジトロン放出断層撮影装置を備えることを特徴とする小動物用放射線断層撮影装置。
【発明の詳細な説明】
【技術分野】
【０００１】
本発明は、研究対象として小動物の断層画像を撮影する小動物用放射線断層撮影装置に係り、特に、複数の小動物を一度に撮影することができる小動物用放射線断層撮影装置に関する。
【背景技術】
【０００２】
研究対象としての小動物をイメージングする装置の一つに小動物用放射線断層撮影装置がある。この装置は、小動物の断層画像を生成することができるものであり、実験者は、この画像を参照して小動物の内部の構造を知ることができる（例えば特許文献１参照）。
【０００３】
この様な小動物用放射線断層撮影装置の従来の構成について説明する。従来装置は、図１０に示す様に、開口が設けられたガントリ５１を有し、このガントリ５１の内部には、放射線を照射する放射線源５３と、放射線を検出する放射線検出器５４とが設けられている。放射線源５３と放射線検出器５４とは、ガントリ５１の開口を挟むように配置されており、互いの相対位置を保った状態で、開口を中心に回転することができる。この開口の内部には、被検体である小動物が配置される。
【０００４】
従来の小動物用放射線断層撮影装置の動作について説明する。従来装置により、被検体の断層画像を取得するには、まず、被検体がガントリ５１の開口に挿入される。そして、放射線源５３と放射線検出器５４とを被検体を中心に回転させながら複数回の撮影を行う。得られた透視画像の各々には、撮影方向が異なる被検体の像が写り込んでいる。これらの透視画像を組み立てると、被検体の断層画像が生成できる。
【０００５】
生理的な実験においては小動物の個体差や測定誤差により、得られる結果に多少のバラツキがあるのが一般的である。そこで、小動物を用いた実験においては、同じ実験処理を複数の小動物について行い、結果のバラツキを考慮した実験結果を得るようにしている。従って、小動物用放射線断層撮影装置のイメージングは、複数の小動物について行うのが通常である。つまり、１つの実験をするときは、小動物の撮影が一体ずつ繰り返されることになる。
【０００６】
そこで、一度に複数の小動物が撮影できるような断層撮影装置が考え出されている。これにより、実験操作の効率は、より改善することになる。
【先行技術文献】
【特許文献】
【０００７】
【特許文献１】国際公開第２００７／１４１８３１号
【発明の概要】
【発明が解決しようとする課題】
【０００８】
しかしながら、従来の構成によれば、次のような問題点がある。
すなわち、従来の構成によれば、診断がしにくい断層画像しか得られない。従来装置によれば、撮影視野内に複数の小動物の断面像が写り込んでいる画像を得ることになる。この画像に写り込んだ小動物の断面像は、互いに似通っているので、どの断面像がどの個体に対応するか把握するのが困難である。
【０００９】
この様に従来の断層撮影装置では、実験者は断層画像が生成される度に実験に用いた小動物の各々が断層画像のどの部分に写り込んでいるかを一体ずつ検討しなければならない。このような作業中に実験者が被検体を取り違えて断層画像を診断してしまうと、実際の現象と異なる結果を出してしまう可能性も出てくる。したがって、断層画像に複数個写り込んでいる小動物の断面像を明確に区別する工夫が必要なのである。
【００１０】
本発明は、この様な事情に鑑みてなされたものであって、その目的は、各個体を区別しつつ一度に複数の被検体の撮影をすることができる小動物用放射線断層撮影装置を提供することにある。
【課題を解決するための手段】
【００１１】
本発明は上述の課題を解決するために次のような構成をとる。
すなわち、本発明に係る小動物用放射線断層撮影装置は、放射線を照射する放射線源と、放射線を検出する放射線検出手段と、放射線源を回転させる回転手段と、放射線源と放射線検出手段との間に設置されるとともに、被検体を配置する複数の空間を有するホルダとを備え、ホルダは、複数の空間の各々に空間識別用部材を備えるとともに、空間識別用部材の各々は、放射線源が回転される際の軌跡である仮想円の存する平面と平行な平面で裁断したときに互いに固有の断面形状を有しており、被検体が配置される空間と並行して、放射線源の回転軸の方向に柱状に伸びていることを特徴とするものである。
【００１２】
［作用・効果］本発明によれば、複数の被検体を一度に撮影するときに被検体を確実に識別できる小動物用放射線断層撮影装置が提供できる。すなわち、複数被検体保持用のホルダにおける被検体保持用の空間の各々には断面形状が空間識別用の固有の形状となっている空間識別用部材が備えられている。本発明に係る装置によって生成された断層画像には空間識別用部材の断面が写り込む。空間識別用部材の断面の形状は空間の識別に用いることができることからすれば、被検体の断層像を撮影すると被検体を保持する空間の各々を識別する図形が自ずと写り込むことになる。これにより、実験者は断層画像に写り込んだ被検体の断面の各々を混同することなく区別して認識することができる。
【００１３】
また、上述の小動物用放射線断層撮影装置において、空間識別用部材は、空間の内部に挿入されていればより望ましい。
【００１４】
［作用・効果］上述の構成は、本発明のより具体的な態様を示すものとなっている。空間識別用部材を空間の内部に挿入されるように構成すれば、空間と空間識別用部材を確実に関連させて断層画像を撮影することができる。
【００１５】
また、上述の小動物用放射線断層撮影装置において、ホルダに設けられた空間の各々に一体の被検体が挿入されればより望ましい。
【００１６】
［作用・効果］上述の構成は、本発明のより具体的な態様を示すものとなっている。空間の各々に一体の被検体を挿入させるようにすれば、被検体を個別に隔離した状態で撮影が可能であるので、被検体が折り重なることにより被検体同士の境目が不明で診断しにくい画像が取得されるのを防止することができる。
【００１７】
また、上述の小動物用放射線断層撮影装置において、空間識別用部材がアクリル樹脂製であればより望ましい。
【００１８】
［作用・効果］上述の構成は、本発明のより具体的な態様を示すものとなっている。ホルダが放射線を透過しやすいアクリル樹脂で構成すれば、空間識別用部材が放射線を吸収しすぎて被検体の断層像に影響を与えることがないので、より鮮明な断層画像を取得できる小動物用放射線断層撮影装置が提供できる。
【００１９】
また、上述の小動物用放射線断層撮影装置において、ホルダを載置する天板と、天板を仮想円の直交方向に移動させる天板移動手段とを備えればより望ましい。
【００２０】
［作用・効果］上述の構成は、本発明のより具体的な態様を示すものとなっている。ホルダが載置可能で摺動自在の天板を備えるようにすれば、容易に被検体を撮影視野内に導入することができる小動物用放射線断層撮影装置が提供できる。
【００２１】
また、上述の小動物用放射線断層撮影装置において、放射線源、放射線検出手段に対して仮想円の直交方向から隣接するように設けられたポジトロン放出断層撮影装置を備えればより望ましい。
【００２２】
［作用・効果］上述の構成は、本発明のより具体的な態様を示すものとなっている。ポジトロン放出断層撮影装置を備えるようにすれば、被検体の機能的な画像と構造的な画像との両方が取得でき、撮影で取得できる情報をより多く得ることができる。
【発明の効果】
【００２３】
本発明によれば、複数の被検体を一度に撮影するときに被検体を確実に識別できる小動物用放射線断層撮影装置が提供できる。すなわち、複数被検体保持用のホルダにおける被検体保持用の空間の各々には断面形状が空間識別用の図形となっている空間識別用部材が備えられている。本発明に係る装置で被検体の断層像を撮影すると被検体を保持する空間の各々を識別する図形が自ずと写り込む。これにより、実験者は断層画像に写り込んだ被検体の断面の各々を混同することなく区別して認識することができる。
【図面の簡単な説明】
【００２４】
【図１】実施例１に係るＸ線断層撮影装置の構成を説明する機能ブロック図である。
【図２】実施例１に係るＸ線管およびＦＰＤの回転移動を説明する模式図である。
【図３】実施例１に係るホルダを説明する平面図である。
【図４】実施例１に係るホルダを説明する斜視図である。
【図５】実施例１に係るＸ線断層撮影装置の動作を説明するフローチャートである。
【図６】実施例１に係るＸ線断層撮影装置の動作を説明する断面図である。
【図７】実施例１に係る断層画像を説明する断面図である。
【図８】実施例２に係るＸ線断層撮影装置の構成を説明する機能ブロック図である。
【図９】本発明の変形例に係る構成を説明する平面図である。
【図１０】従来構成の放射線撮影装置の構成を説明する模式図である。
【実施例１】
【００２５】
以降、本発明の実施例を説明する。実施例におけるＸ線は、本発明の放射線に相当する。また、ＦＰＤは、フラット・パネル・ディテクタの略である。また、本発明のＸ線断層撮影装置は、マウスなどの小動物撮影用となっている。
【００２６】
まず、実施例１に係るＸ線断層撮影装置について説明する。Ｘ線断層撮影装置１は、図１に示す様に被検体Ｍを載置する天板２と、天板２の伸びる方向に貫通した貫通孔を有するガントリ１０とを備えている。天板２は、ガントリ１０の貫通孔に挿通されており、天板２を支持する支持台２ａに対して天板２の伸びる方向（後述における仮想円ＶＣの直交方向）に進退自在に移動することができる。この天板２の移動は天板移動機構１５が行う。天板移動制御部１６は、天板移動機構１５を制御するものである。天板移動機構１５は、本発明の天板移動手段に相当する。
【００２７】
ガントリ１０の内部には、Ｘ線を照射するＸ線管３と、Ｘ線を検出するＦＰＤ４とが設けられている。Ｘ線管３から照射されたＸ線は、ガントリの貫通孔を横切るように通過して、ＦＰＤ４に到達する。Ｘ線管３は、本発明の放射線源に相当し、ＦＰＤ４は、本発明の放射線検出手段に相当する。
【００２８】
Ｘ線管制御部６は、所定の管電流、管電圧、パルス幅でＸ線管３を制御する目的で設けられている。ＦＰＤ４は、Ｘ線管３から発せられ、被検体Ｍを透過したＸ線を検出して検出信号を生成する。この検出信号は、画像生成部１１に送出され、そこで被検体Ｍの投影像が写り込んだ透視画像Ｐ０が生成される。断層画像生成部１２は、画像生成部１１で生成された透視画像Ｐ０を基に、被検体Ｍを任意の断層面で裁断したときの断層画像Ｐ１を生成する。
【００２９】
Ｘ線管３およびＦＰＤ４の回転について説明する。Ｘ線管３およびＦＰＤ４は、回転機構７により、天板２の伸びる方向に伸びた中心軸を中心に一体的に回転される。より具体的には、Ｘ線管３およびＦＰＤ４は、図２に示す様に互いの相対的な位置関係を保った状態で回転移動される。このとき、Ｘ線管３は、回転機構７によりＸ線管３とＦＰＥ４とを結ぶ線分上にある中心点を中心とする仮想円ＶＣの軌跡を描きながら回転することになる。この仮想円ＶＣと直交する方向（図２における紙面貫通方向：Ｚ方向）が、天板２の延伸方向と一致する。回転制御部８は、回転機構７を制御する目的で設けられている。回転機構７は、本発明の回転手段に相当する。
【００３０】
天板２には、被検体Ｍを保持するためのホルダ５が載置されている。このホルダ５の構造について説明する。ホルダ５は、図３に示す様に、５つの円（立体として捕らえればＺ方向に伸びた円柱）の形状の空間５ａが設けられている。この空間５ａの各々に被検体Ｍが一体ずつ挿入されることになる。空間５ａの内壁を形成する円筒５ｂは、Ｚ方向に伸びた複数の貫通孔がレンコン状に開けられた発泡スチロール製の円筒支持体５ｃにおける貫通孔の各々に埋め込まれることで支持されている。また、円筒５ｂは、Ｘ線を透過しやすいアクリル樹脂で構成される。ホルダ５は、天板２に近い側の一段目に３個の空間５ａが、天板２に遠い側の二段目に２個の空間５ａが形成されているような形状をしている。
【００３１】
ホルダ５は、図３に示す様にＺ方向に伸びた柱状の空間識別用部材５ｃを空間５ａの各々に付設されている。この空間識別用部材５ｃをＺ方向から見れば、アラビア数字を摸した形状となっており、空間５ａの各々の内部に一本ずつ挿入されている。空間５ａには、一体の被検体Ｍが挿入されることからすれば、被検体一体に対し一本の空間識別用部材５ｃが設けられていることになる。
【００３２】
しかも、図３に示す様に、ホルダ５の空間５ａの各々に備えられた空間識別用部材５ｃをＺ方向から見たとき、その形状は互いに異なっている。すなわち、空間識別用部材５ｃの各々の形状は、１から５までのアラビア数字の形状を摸したものとなっている。しかも、その空間識別用部材５ｃは、ホルダ５の空間５ａを左上から順にナンバリングするように配置されたものとなっている。
【００３３】
図４は、空間５ａの内壁を形成する円筒５ｂの一つを抜き出した斜視図である。図４に示す様に、円筒５ｂの内壁の上部には空間識別用部材５ｃが備えられている。したがって、空間識別用部材５ｃは、円筒５ｂの内部に被検体Ｍを挿入するときに邪魔とならない。
【００３４】
この空間識別用部材５ｃを仮想円ＶＣの存する平面で裁断すると、断面の形状は、空間識別用部材５ｃをＺ方向から見たときと同じく１から５までのアラビア数字の形状を摸したものとなっている。また、空間識別用部材５ｃをこの平面と平行な平面で裁断しても、断面の形状は、やはり１から５までのアラビア数字の形状を摸したものとなっている。このように空間識別用部材５ｃを仮想円ＶＣの存する平面で裁断したときに現れる断面の形状が空間５ａ（被検体）の各々を識別する図形となっている。すなわち、空間識別用部材５ｃの各々は、仮想円VＣでと平行なある平面で裁断したときに、互いに固有の断面形状を有している。
【００３５】
表示部２５は、Ｘ線撮影により取得された断層画像Ｐ１を表示する目的で設けられている。操作卓２６は、実験者によるＸ線照射開始などの指示を入力させる目的で設けられている。また、主制御部２７は、各制御部を統括的に制御する目的で設けられている。この主制御部２７は、ＣＰＵによって構成され、各種のプログラムを実行することにより各制御部６，８，１６および各部１１，１２を実現している。また、上述の各部は、それらを担当する演算装置に分割されて実行されてもよい。記憶部２８は、撮影に用いられるパラメータ、画像処理に伴って生成される中間画像等のＸ線断層撮影装置１の制御に関するパラメータの一切を記憶する。
【００３６】
＜Ｘ線断層撮影装置の動作＞
次に、Ｘ線断層撮影装置１の動作について説明する。実施例１に係るＸ線断層撮影装置１を用いて小動物の断層画像Ｐ１を取得するには、図５に示すように、まず、被検体Ｍがホルダ５に収納され（被検体収納ステップＳ１），透視画像Ｐ０の撮影が開始される（撮影開始ステップＳ２）。そして、断層画像Ｐ１が生成される（断層画像生成ステップＳ３）。以降これらの各ステップについて順を追って説明する。
【００３７】
＜被検体収納ステップＳ１＞
撮影に先立って、被検体Ｍが撮影中に移動しない様に被検体Ｍを麻酔しておく。麻酔された被検体Ｍの各々は、ホルダ５の空間５ａに収納される。このとき、ホルダ５の空間５ａ１つ当たり一体の被検体Ｍが収納される。ホルダ５には、５つの空間５ａが設けられているので、ホルダ５には５体の被検体Ｍを収納することができる。複数の被検体Ｍを収納したホルダ５は天板２に載置される。
【００３８】
＜撮影開始ステップＳ２＞
実験者が操作卓２６を通じてＸ線断層撮影装置１に断層撮影開始の指示を行うと、天板２が摺動し、被検体Ｍがガントリ１０の貫通孔の内部に導入される（図１参照）。Ｘ線管制御部６は、記憶部２８に記憶されている照射時間・管電流・管電圧に従い、Ｘ線を間欠的に照射する。その間に回転機構７は、Ｘ線管３およびＦＰＤ４を回転させる。ＦＰＤ４は、Ｘ線管３が照射したＸ線のうち被検体Ｍを通過してきたＸ線を検出し、このときの検出データを画像生成部１１に送出する。
【００３９】
画像生成部１１は、ＦＰＤ４から送出された検出データを画像化して、Ｘ線の強さがマッピングされた透視画像Ｐ０を生成する。ＦＰＤ４は、Ｘ線管３がＸ線を照射する度に検出データを画像生成部１１に送出するので、画像生成部１１は、複数枚の透視画像Ｐ０を生成することになる。Ｘ線管３およびＦＰＤ４が回転移動されながら複数枚の透視画像Ｐ０が取得されるのであるから、透視画像Ｐ０の各々には、被検体Ｍの透視像が透視する方向を変えながら写り込んでいることになる。Ｘ線管３およびＦＰＤ４が撮影開始から一回転したところで、Ｘ線管３はＸ線の照射を終了する。
【００４０】
撮影開始後の天板２の移動について説明する。Ｘ線断層撮影装置１は、一度の撮影で被検体Ｍの一部分しか撮影できない。Ｘ線断層撮影装置１の撮影視野におけるＺ方向の幅が被検体ＭのＺ方向の幅よりも小さいからである。そこで、実施例１の構成によれば、上述のＸ線管３・ＦＰＤ４が一回転して終了する撮影を複数回行うことで、被検体Ｍの全体像について断層画像を取得するようにしている。すなわち、図６の左側が示すように、まず被検体Ｍの尾部の撮影を行った後、天板２が摺動されることにより被検体Ｍとガントリ１０の相対位置を変更し、今度は図６の中央が示すように、被検体Ｍの腹部の撮影を行う。その後、再び天板２を摺動して今度は図６の右側が示すように被検体Ｍの頭部の撮影を行う。こうして、被検体全身について透視画像Ｐ０が取得される。
【００４１】
＜断層画像生成ステップＳ３＞
透視画像Ｐ０は、断層画像生成部１２に送出される。断層画像生成部１２では、方向を変えながら撮影されることにより被検体Ｍの立体的な構造に関する情報を有している一連の透視画像Ｐ０を再構成してＺ方向を体軸とする被検体Ｍを輪切りにするような断層画像Ｐ１を生成する。この断層画像Ｐ１は、輪切りにする位置をＺ方向について変更しながら複数枚生成される。この様にして生成された断層画像Ｐ１が表示部２５に表示されて撮影は終了となる。つまり断層画像Ｐ１は、被検体Ｍを仮想円ＶＣの存する平面およびこれに平行な平面で裁断したときの断面像となっている。
【００４２】
このとき取得される断層画像Ｐ１について説明する。断層画像Ｐ１は、図７に示すように被検体Ｍの断面像とともに空間識別用部材５ｃの断面が写り込んでいる。空間識別用部材５ｃは仮想円ＶＣの存する平面に平行な平面で裁断するとその断面はアラビア数字を摸したものとなっているのであるから、断層画像Ｐ１に写り込む空間識別用部材５ｃは、アラビア数字の形状をしている。実験者は断層画像Ｐ１に現れたアラビア数字を基に被検体Ｍの個体を識別することができる。
【００４３】
以上のように、実施例１の構成によれば、複数の被検体Ｍを一度に撮影するときに被検体Ｍを確実に識別できるＸ線断層撮影装置１が提供できる。すなわち、複数被検体保持用のホルダ５における被検体保持用の空間５ａの各々には断面形状が空間識別用の形状となっている空間識別用部材５ｃが備えられている。実施例１の構成に係る装置によって生成された断層画像Ｐ１には空間識別用部材５ｃの断面が写り込む。空間識別用部材５ｃの断面の形状は空間５ａの識別に用いることができることからすれば、被検体Ｍの断層像を撮影すると被検体Ｍを保持する空間５ａの各々を識別する図形が自ずと写り込むことになる。これにより、実験者は断層画像Ｐ１に写り込んだ被検体Ｍの断面の各々を混同することなく区別して認識することができる。
【００４４】
また、上述のように空間５ａの各々に一体の被検体Ｍを挿入させるようにすれば、被検体Ｍを個別に隔離した状態で撮影が可能であるので、被検体Ｍが折り重なることにより被検体同士の境目が不明で診断しにくい画像が取得されるのを防止することができる。
【００４５】
また、上述のようにホルダ５がＸ線を透過しやすいアクリル樹脂で構成すれば、空間識別用部材５ｃがＸ線を吸収しすぎて被検体Ｍの断層像に影響を与えることがないので、より鮮明な断層画像Ｐ１を取得できるＸ線断層撮影装置１が提供できる。
【実施例２】
【００４６】
続いて実施例２に係る断層撮影装置２０について説明する。実施例２に係る断層撮影装置２０は、図８に示すように実施例１に係る装置構成にポジトロン放出断層撮影装置（ＰＥＴ装置）を併設したものとなっている。そこで、実施例２に係る断層撮影装置２０において、実施例１に係る装置構成と同様の部分については説明を省略する。
【００４７】
断層撮影装置２０には、ガントリ１０の他、ＰＥＴ装置１ａに係るガントリ１０ａを有している。このガントリ１０ａも、Ｚ方向に伸びた貫通孔を有しており、天板２が挿通されている。したがって、ＰＥＴ装置１ａは、Ｘ線管３・ＦＰＤ４に対してＺ方向から隣接するように設けられている。
【００４８】
ガントリ１０ａの内部にはガントリ１０ａの形状にならってリング状の検出器リング３２が設けられている。この検出器リング３２は、γ線を検出可能な検出器がリング状に配列されて構成されている。
【００４９】
同時計数部３３は、検出器リング３２から出力された検出データに同時計数処理を施す目的で設けられている。この同時計数部３３により、検出器リング３２の異なる部分に同時に入射した消滅γ線対の検出頻度と検出位置とが特定される。同時計数部３３は、同時計数の結果をＰＥＴ画像生成部３４に出力する。ＰＥＴ画像生成部３４は、同時計数部３３が特定した消滅γ線対の検出頻度と検出位置とを基に、消滅γ線対の発生位置を算出し、消滅γ線対の発生強度がマッピングされたＰＥＴ画像Ｐ２を生成する。ＰＥＴ画像Ｐ２は、消滅γ線対の発生の分布を示す断層画像となっている。
【００５０】
断層撮影装置２０は、Ｘ線による断層画像Ｐ１と消滅γ線対によるＰＥＴ画像Ｐ２との両画像を一度の検査で取得できるようになっている。断層撮影装置２０を用いて両画像Ｐ１，Ｐ２を生成するには、まず、被検体Ｍに陽電子放出型の放射性薬剤が注射される。放射性薬剤は、被検体Ｍの病巣などの特定の部分に集中する性質を有している。放射性薬剤は陽電子を放出し、この陽電子は１８０度反対方向に飛び去る消滅γ線対を発生させる。したがって、被検体Ｍからは、消滅γ線対が放射されることになる。放射性薬剤の分布は被検体内で異なっているのであるから、消滅γ線対の発生の頻度は被検体Ｍの部分によって異なっていることになる。
【００５１】
放射性薬剤の注射から十分に時間が経過した後、被検体Ｍは麻酔され、ホルダ５に収納される。すなわち、ホルダ５の空間５ａの各々に麻酔された被検体Ｍの一体が収納される。そして、複数の被検体Ｍを収納した状態となったホルダ５は、天板２に載置される。実験者が操作卓２６を通じて断層撮影装置２０にＰＥＴ画像撮影開始の指示を行うと、天板２が摺動し、被検体Ｍがガントリ１０ａの貫通孔の内部に導入される（図８参照）。この時点から検出器リング３２は、消滅γ線対の検出を開始し、ＰＥＴ画像生成部３４がＰＥＴ画像Ｐ２を生成する。ＰＥＴ画像Ｐ２には、被検体Ｍの部分によって異なる消滅γ線対の発生の頻度がマッピングされている。消滅γ線対の発生頻度の分布はそのまま放射線薬剤の分布なのであるから、実験者はＰＥＴ画像Ｐ２を診断することで被検体中の放射性薬剤の分布を知ることができる。なお、撮影の際に、ＰＥＴ装置１ａのＺ方向における視野範囲が被検体Ｍの全身をカバーしきれないときは、天板２をＺ方向に摺動させながらＰＥＴ画像Ｐ２の撮影をするようにしてもよい。
【００５２】
後の動作は、上述のステップＳ２以降と同様である。断層画像Ｐ１，ＰＥＴ画像Ｐ２およびこれらが重ねられた合成画像が表示部２５に表示されて撮影は終了となる。
【００５３】
以上のように、上述の構成は、実施例１の構成のより具体的な態様を示すものとなっている。ポジトロン放出断層撮影装置を備えるようにすれば、被検体Ｍの機能的な画像と構造的な画像との両方が取得でき、撮影で取得できる情報をより多く得ることができる。
【００５４】
本発明は、上述の構成に限られず、下記のように変形実施することができる。
【００５５】
（１）実施例１の構成によれば、ホルダ５が有する空間識別用部材５ｃは、アラビア数字を摸していたが、これをアルファベットや他の文字・図形とすることもできる。
【００５６】
（２）実施例１の構成によれば、ホルダ５が有する空間識別用部材５ｃは、アラビア数字を摸していたが、空間識別用部材５ｃを裁断したときの形状は同一であっても断層画像Ｐ１に写り込むときの向きが異なるようにすることで各被検体Ｍの識別を行わせるようにしてもよい。また、空間識別用部材５ｃを裁断したときの形状は同一であっても断層画像Ｐ１に写り込むとき、形状が鏡像対称となっていることにより各被検体Ｍの識別を行わせるようにしてもよい。また、空間識別用部材５ｃを裁断したときの形状は同一であっても空間識別用部材の個数が異なることにより各被検体Ｍの識別を行わせるようにしてもよい。これらの態様は、空間識別用部材５ｃの断面が互いに識別できることから、本発明においては便宜上、空間識別用部材５ｃの断面形状が互いに固有の断面形状となっている態様に含まれるものとする。
【００５７】
（３）実施例１の構成によれば、空間識別用部材５ｃは、空間５ａの内部に設けられていたが、図９の左側が示すように、空間識別用部材５ｃを円筒５ｂの外部に付設するようにしてもよい。また、図９の中央が示すように、円筒支持体５ｃに空間識別用部材５ｃを挿通させるようにしてもよい。また、図９の右側が示すように、空間識別用部材５ｃの代わりに円筒５ｂに長穴５ｄを設けるように構成してもよい。この長穴５ｄに何らかの充填物を充填させて、円筒５ｂを仮想円ＶＣが存する平面で切断すると、その充填物の断面形状は空間５ａ（被検体）を識別するための図形となっている。
【００５８】
（４）実施例１の構成によれば、被検体Ｍはマウスであったが、他の小動物を被検体Ｍとすることもできる。
【００５９】
（５）実施例１の構成によれば、ホルダ５は５つの空間５ａを有していたが、空間５ａの個数を撮影対象の小動物のサイズに合わせて変更させるようにしてもよい。
【符号の説明】
【００６０】
ＶＣ   仮想円
２     天板
３     Ｘ線管（放射線源）
４     ＦＰＤ（放射線検出手段）
５     ホルダ
５ａ   空間
５ｃ   空間識別用部材
７     回転機構（回転手段）
１５   天板移動機構（天板移動手段）
【図１】
0005573641.tif 000002
【図２】
0005573641.tif 000003
【図３】
0005573641.tif 000004
【図４】
0005573641.tif 000005
【図５】
0005573641.tif 000006
【図６】
0005573641.tif 000007
【図７】
0005573641.tif 000008
【図８】
0005573641.tif 000009
【図９】
0005573641.tif 000010
【図１０】
0005573641.tif 000011